(57)【特許請求の範囲】
【請求項１】
紐体の先端側に二股に分岐した一対の紐を設け、各分岐紐の先端を動物に接続するようにした二頭引き用の動物の引き紐であって、
共通の通路に引き揃え状態の各分岐紐双方が通されて、この各分岐紐に沿ってスライドでき、かつ各スライド位置で各分岐紐の先端側からの引き離しを阻止する分岐長さ調節具を設けたことを特徴とする動物の引き紐。
【請求項２】
分岐長さ調節具は筒体であって、通路は、各分岐紐が密着し合って遊びなく嵌まり合う横断面形状を持ち、筒体の分岐紐の先端側に向く端面が、分岐紐が密接し合う中央位置から両側に向かって後方に傾斜する形状としたものである請求項１に記載の動物の引き紐。
【請求項３】
分岐紐は横断面が丸型である請求項２に記載の動物の引き紐。
【請求項４】
分岐長さ調節具は、通路の途中に、これに通されている各分岐紐の間にこれらと接触する状態で位置するとともに、通路の長手方向に移動できるように支持されたロック部材を設け、ロック部材の各分岐紐の長手方向で見た最分岐点側位置から最先端側位置に向かって通路の各分岐紐が隣接し合う方向の幅を漸次狭まくなるようにした請求項１に記載の動物の引き紐。
【請求項５】
分岐長さ調節具は、筒体と、この筒体よりも各分岐紐の先端側に位置して各分岐紐が互いにクロスするように通されたリングとの組み合わせ構成である請求項１に記載の動物の引き紐。
【請求項６】
各分岐紐は組紐である請求項１〜５のいずれか一項に記載の動物の引き紐。
【発明の詳細な説明】
【０００１】
【産業上の利用分野】
本発明は犬等の動物を散歩させたりするのに用いる動物の引き紐に関し、特に紐体の先端側に二股に分岐した一対の分岐紐を設け、各分岐紐の先端に動物を接続するようにした二頭引き用の動物の引き紐に関するものである。
【０００２】
【従来の技術】
人が複数の犬を散歩に引き連れるような場合、元来、犬ごとに接続した個別の引き紐を用いていた。この場合、各犬は人が持っているそれぞれの引き紐の手元部を基点にした各引き紐の全長分の範囲で、それぞれ個別に大きく自由に動ける。これは、手元部を基点に複数の犬が前後左右異なった方向に異なった力で引っ張りながら動けるし、前記基点をあらゆる方向に揺さぶることにもなる。したがって、人にとっては、それぞれの犬が自分に対して位置する向きを前後左右の特定の向きに制限できない上、前記揺さぶりを受けるので、犬を自由に操れない不便がある。
【０００３】
従来２頭引きではこれを解消している。これには図９に示すような引き紐が用いられている。このものは、紐体ａの先端に金属製のリングｂを介して分岐する状態に一対の分岐紐ｃ、ｄが接続され、各分岐紐ｃ、ｄの先端を二頭の犬ｅに図のような胴輪ｆや図示しない首輪を利用して個別に接続するようにしている。
【０００４】
このようにすると、人が紐体ａの手元側の後端部を持って二頭の犬ｅを引き連れるとき、紐体ａを介してこれの分岐点であるリングｂの部分を基点とした、引き紐全長に比して格段に短い分岐紐ｃ、ｄの長さ範囲に各犬ｅの行動を小さく制限することができる。
【０００５】
また、これによって、二頭の犬ｅの行動範囲の大まかな方向を一本の紐体ａの先端側に規制することができる。さらに、各犬ｅが前記リングｂを基点にした前後左右の異なった方向に異なった力で動いて、リング部ｂに揺さぶりを与えるようなことがあっても、紐体ａは、人に把持された手元部を基点にして少し振れる程度であって、手元部を大きく揺さぶられるようなことはない。
【０００６】
これらのため、人は二頭の犬ｅをこれらに振り回されないで各犬ｅの動きを思い通りに規制しながら引き連れることができる。
【０００７】
【発明が解決しようとする課題】
しかし、上記従来のものでは、分岐紐ｃ、ｄの長さが一定である。このため、二頭立てで引き連れようとする犬ｅの大きさの違いによっては、分岐紐ｃ、ｄが長すぎたり、短すぎたりする。
【０００８】
長すぎると、二頭の犬ｅはそれぞれに動き回りやすいので、動きを思うようにコントロールできない不便がある。短すぎると二頭の犬ｅは接近しすぎて動きが自由でなく、互いが不用意に接触してストレスの原因になる。
【０００９】
分岐紐ｃ、ｄの長さを動物の大きさに合ったものを採用すればよいが、これでは提供すべき引き紐の種類が多くなり過ぎて面倒であるし高価につく。
【００１０】
また、周囲に人が多く犬の行動範囲を大きく制限したいときや、犬をのびのびと動き回らせながら引き連れたいとき等、状況の変化に応じて使い分けられない不便がある。
【００１１】
本発明は、旧来のこのような問題を解消することを課題とし、分岐紐の分岐長さを自由に調節して用いられる便利な動物の引き紐を提供することを目的とするものである。
【００１２】
【課題を解決するための手段】
上記目的を達成するために、請求項１の発明の動物の引き紐は、紐体の先端側に二股に分岐した一対の紐を設け、各分岐紐の先端を動物に接続するようにした二頭引き用の動物の引き紐であって、共通の通路に引き揃え状態の各分岐紐双方が通されて、この各分岐紐に沿ってスライドでき、かつ各スライド位置で各分岐紐の先端側からの引き離しを阻止する分岐長さ調節具を設けたことを特徴とするものである。
【００１３】
請求項２の発明の動物の引き紐は、請求項１の発明においてさらに、分岐長さ調節具は筒体であって、通路は、各分岐紐が密着し合って遊びなく嵌まり合う横断面形状を持ち、筒体の分岐紐の先端側に向く端面が、分岐紐が密接し合う中央位置から両側に向かって後方に傾斜する形状としたものである。
【００１４】
請求項３の発明の動物の引き紐は、請求項２の発明においてさらに、分岐紐は横断面が丸型である。
【００１５】
請求項４の発明の動物の引き紐は、請求項１の発明においてさらに、分岐長さ調節具は、通路の途中に、これに通されている各分岐紐の間にこれらと接触する態で位置するとともに、通路の長手方向に移動できるように支持されたロック部材を設け、ロック部材の各分岐紐の長手方向で見た最分岐点側位置から最先端側位置に向かって通路の各分岐紐が隣接し合う方向の幅を漸次狭まくなるようにする。
【００１６】
請求項５の発明の動物の引き紐は、請求項１の発明においてさらに、分岐長さ調節具は、筒体と、この筒体よりも各分岐紐の先端側に位置して各分岐紐が互いにクロスするように通されたリングとの組み合わせ構成である。
【００１７】
請求項６の発明の動物の引き紐は、請求項１〜５の発明のいずれか１つにおいてさらに、各分岐紐は組紐である。
【００１８】
【作用】
請求項１の発明の動物の引き紐の上記構成では、紐体の先端側に設けた二股に分岐した一対の分岐紐を個別の動物に接続してこれら動物を二頭引き状態で引き連れるのに、人が紐体の手元部側である後端部を持った状態で、二頭の動物の行動範囲の大まかな方向を一本の紐体の先端側に規制するとともに、各動物が前記分岐点を基点にした前後左右の異なった方向に異なった力で動いて、分岐点に揺さぶりを与えるようなことがあっても、紐体は、人に把持された手元部を基点にして少し振れる程度で、手元部を大きく揺さぶられるようなことはなく、人は二頭の動物をこれらに振り回されないで各動物の動きを思い通りに規制しながら引き連れることができる。
【００１９】
特に、分岐長さ調節具は、これの通路に通された引き揃え状態の分岐紐に沿ってスライドして分岐点からどのように離れた部分にも位置し、また、そのどの位置にても各分岐紐の先端側からの引き離しを阻止する。これにより、各分岐紐の先端に接続した動物のそれぞれが相対的に左右異なった方向に移動して各分岐紐が分岐長さ調節具の調節位置を分岐点側に越えてさらに引き離そうとする力が働いても、これを分岐長さ調節具にて受け止めてそれ以上の引き離しを防止することができる。
【００２０】
したがって、各分岐紐それ自体は一定の長さを有しているだけであっても、引き揃え状態にある各分岐紐上の分岐長さ調節具の位置を調節することによって分岐紐が分岐状態にて使用される実際の使用長さを種々に設定し、一本の引き紐にて、二頭引きする動物の大きさ、まわりの状況や希望する引き連れ状態の違いに対応することができ便利であるし、動物の大きさに合わせた引き紐を製作するような場合に比してコストは数分の１に低減する。
【００２１】
請求項２の発明の動物の引き紐の上記構成では、請求項１の発明においてさらに、分岐長さ調節具が筒体で、各分岐紐が密着し合って遊びなく嵌まり合う横断面形状をした通路を持ち、筒体の分岐紐の先端側に向く端面が、分岐紐が密接し合う中央位置から両側に向かって後方に傾斜する形状とされただけの簡単なものであるが、前記傾斜を持った端面は、分岐紐の密接し合う中央位置から両側に向け後端側にやや逃げる状態となった湾曲形状のエッジを形成して、各分岐紐の分岐長さ調節具よりも先端側が引き離されようとするときの引き離し力が分岐長さ調節具に働くのを、各分岐紐が互いにほぼ真横に引き離されて直角に折れ曲がる状態になるまで逃がし、引き離し力は各分岐紐がほぼ真横に引き離され直角に折れ曲がった状態から分岐長さ調節具の通路に通されている各分岐紐にほぼ直角に働いて、分岐長さ調節具を各分岐紐上で後方に押し動かすような分力を生じさせないし、前記エッジが各分岐紐の直角に折れ曲がったコーナー部に引っ掛かって分岐紐との滑りを阻止するので、分岐紐の分岐長さ調節具の調節位置を越えてこれよりも分岐側が引き離されるのを確固に防止することができる。
【００２２】
請求項３の発明の動物の引き紐の上記構成では、請求項２の発明においてさらに、分岐紐は横断面が丸型であって、分岐長さ調節具の筒体がなす通路の互いに密接している各分岐紐との接触範囲が、各分岐紐の横断面における円周のほぼ３／４程度と大きいことによって、各分岐紐に対するまわりからの捕捉力が十分で、前記分岐紐の先端側が真横に引き離されるまでの動きに影響されずに各分岐紐の通路内部分を遊びなく直状状態に保持し、各分岐紐の前記真横に引き離される先端部分と通路内に保持される部分との直角な折れ曲がり部にきちっとした角が形成されて、引き離される各分岐紐と分岐長さ調節具の前記エッジとの引っ掛かりによる滑り防止をさらに確実にするので、分岐長さ調節具による各分岐紐の長さ調節機能がさらに安定する。
【００２３】
請求項４の発明の動物の引き紐は、請求項１の発明においてさらに、分岐長さ調節具がなす通路の途中に位置してこれに通されている各分岐紐の間にこれらと接触する状態で位置するロック部材を、このロック部材の各分岐紐の最分岐点側位置と最先端側位置との間で通路の長手方向に移動させることができ、各分岐紐が隣接し合う方向の通路幅が前記ロック部材の長手方向で見た最分岐点側位置から最先端側位置に向かって漸次狭まくなっていることにより、ロック部材を最分岐点側位置に移動させたときは、通路に通されている各分岐紐との接触状態を通路幅の大きさで浅く弱くして各分岐紐上を分岐長さ調節具がロック部材を伴って自由にスライドして位置を調節することができ、ロック部材を最先端側位置に移動させたときは、通路幅が小さいことによってロック部材が両側の各分岐紐を通路の内面との間に強く挟み着けて各分岐紐を通路内で滑らないようにロックし、分岐長さ調節具を前記位置調節するどの位置にても各分岐紐に確実に係止して、各分岐紐の先端側が分岐長さ調節具を越えて引き離されるのは勿論、分岐長さ調節具が各分岐紐上でロック部材の操作なしに不用意にスライドして調節位置が変化してしまうようなことを回避することができる。
【００２４】
請求項５の発明の動物の引き紐は、請求項１の発明においてさらに、筒体が引き揃え状態の各分岐紐上をスライドして自由に位置調節することができ、各分岐紐の分岐長さ調節具よりも先端側に引き離し力が働くと、リングに通されている各分岐紐がクロスしていることによりこれがリングを筒体の側に結び付ける状態となって筒体の端部側に締付けて押し付けながら、各分岐紐がリングを挟み込んで筒体がなす通路よりも大きな瘤を形成して筒体のエッジに引っ掛かるようにするので、各分岐紐が筒体およびリングがなす分岐長さ調節具の調節位置を越えて分岐点側にまで引き離されるようなことを防止することができ、分岐長さ調節具が筒体とリングの２部材でありながら単純な構成でよい利点がある。
【００２５】
請求項６の発明の動物の引き紐は、請求項１〜５の発明のいずれか１つにおいてさらに、各分岐紐が組紐であることにより表面が凹凸をなし、これが分岐長さ調節具を越えて分岐点側に引き離されようとするときの分岐長さ調節具との引っ掛かりをよくして、分岐長さ調節機能のさらなる安定を図ることができる。
【００２６】
【実施例】
本発明の図１〜図３に示す第１の実施例としての動物の引き紐について説明する。
【００２７】
本実施例の動物の引き紐は、図１の（ａ）〜（ｃ）、および図３に示すように、紐体１の先端１ｂ側に分岐点１ｃから二股に分岐した一対の紐２、３を設け、これら各分岐紐２、３の先端２ａ、３ａに連結金具２１、２２を設けて、図２に示すような胴輪５や図６、図８に示す首輪５１等を介して犬４等の動物に接続するようにした二頭引き用の動物の引き紐である。
【００２８】
このような構造は前記したように従来から知られ、紐体１の先端１ｂ側に設けた二股に分岐した一対の分岐紐２、３を個別の犬４に接続してこれら犬４を図２に示すような二頭引き状態で引き連れるのに、人が紐体１の図１の（ａ）に示す手元部側である後端部１ａを持った状態で、二頭の犬４の行動範囲の大まかな方向を、図２に示すように一本の紐体１の図１の（ｃ）、図２に示す先端１ｂ側に規制するとともに、各犬４が前記分岐点１ｃを基点にした前後左右の異なった方向に異なった力で動いて、分岐点１ｃに揺さぶりを与えるようなことがあっても、紐体１は、人に把持された手元部である後端部１ａを基点にして少し振れる程度で、手元部を大きく揺さぶられるようなことはなく、人は二頭の犬４をこれらに振り回されないで各犬４の動きを思い通りに規制しながら引き連れることができる。
【００２９】
しかし、従来のように分岐紐２、３の長さが一定であると、二頭立てで引き連れようとする犬４の大きさの違いによっては、分岐紐２、３が長すぎたり、短すぎたりして問題であるし、周囲に人が多く犬４の行動範囲を大きく制限したいときや、犬４をのびのびと動き回らせながら引き連れたいとき等、状況の変化に応じて使い分けられない不便がある。
【００３０】
そこで本実施例では、図１の（ｃ）、図２の（ａ）〜（ｃ）、図３に示すように、共通の通路６に引き揃え状態の各分岐紐２、３双方が通されて、この各分岐紐２、３に沿ってスライドでき、かつ各スライド位置で各分岐紐２、３の先端２ａ、３ａ側からの引き離しを阻止する分岐長さ調節具７を設ける。
【００３１】
このような分岐長さ調節具７は、これの通路６に通された引き揃え状態の分岐紐２、３に沿ってスライドして分岐点１  ｃからどのように離れた部分にも位置し、また、そのどの位置にても各分岐紐２、３の先端２ａ、３ａ側からの引き離しを阻止する。これにより、各分岐紐２、３の先端２ａ、３ａに接続した犬４のそれぞれが相対的に左右異なった方向に移動して各分岐紐２、３が分岐長さ調節具７を分岐点１ｃ側に越えてさらに引き離そうとする図２の（ｂ）、図３に示すような力Ｆ１、Ｆ２が働いても、これを分岐長さ調節具７にて受け止めてそれ以上の引き離しを防止することができる。
【００３２】
したがって、各分岐紐２、３それ自体は一定の長さＬ１、Ｌ２を有しているだけであっても、引き揃え状態にある各分岐紐２、３上の分岐長さ調節具７の位置を図１の（ｃ）、図３に示す矢印８の方向に調節することによって分岐紐２、３が分岐状態にて使用される実際の使用長さＬａ、Ｌｂを種々に設定し、一本の引き紐にて、二頭引きする犬４の大きさ、まわりの状況や希望する引き連れ状態の違いに対応することができ便利であるし、犬４の大きさに合わせた引き紐を製作するような場合に比してコストは数分の１に低減する。
【００３３】
特に本実施例の分岐長さ調節具７は図２に示すような筒体１１であり、通路６は、各分岐紐２、３が図２の（ａ）、（ｂ）に示すように密着し合って遊びなく嵌まり合う雪だるま型の横断面形状を持ち、筒体１１の分岐紐２、３の先端２ａ、３ａ側に向く端面１１ａが、分岐紐２、３が密接し合う中央位置１１ｂから両側１１ｃに向かって後方に傾斜する形状としてある。
【００３４】
このように、分岐長さ調節具７は簡単な筒体１１であるが、前記傾斜を持った端面１１ａは、分岐紐２、３の密接し合う中央位置１１ｂから両側１１ｃに向け後端側にやや逃げる状態となった湾曲形状のエッジ１１ｄを形成して、各分岐紐２、３の分岐長さ調節具７よりも先端側が引き離されようとするときの引き離し力Ｆ１、Ｆ２が分岐長さ調節具７に働くのを、各分岐紐２、３が図２の（ｂ）に仮想線で示す中途引き離し状態を経て、図２の（ｂ）に破線で示す互いにほぼ真横に引き離されて直角に折れ曲がる状態になるまで逃がす。
【００３５】
筒体１１の端面１１ａに前記に傾斜がない場合、図２の（ｂ）に細線で示すように各分岐紐２、３は極く少ない傾斜角のときから筒体１１の端部に引き離し力Ｆ１、Ｆ２を働かせ、筒体１１を引き揃え状態の各分岐紐２、３上を図２の（ｂ）に示す矢印１２の方向にスライドさせる分力が生じてしまう。
【００３６】
しかし、端面１１ａに前記の傾斜があることによって、図２の（ｂ）に破線で示すように真横に折れ曲がるまで引き離し力Ｆ１、Ｆ２は筒体１１に働かない。
【００３７】
これによって引き離し力Ｆ１、Ｆ２は、各分岐紐２、３がほぼ真横に引き離され直角に折れ曲がった状態から分岐長さ調節具７にほぼ直角に働いて、分岐長さ調節具７を各分岐紐２、３上で後方に押し動かすような分力を生じさせないし、前記エッジ１１ｄが各分岐紐２、３の直角に折れ曲がったコーナー部に引っ掛かって分岐紐２、３との滑りを阻止するので、分岐紐２、３の分岐長さ調節具７の調節位置を越えてこれよりも分岐点１ｃ側が引き離されるのを確固に防止することができる。
【００３８】
したがって、長さＬ１、Ｌ２の各分岐紐２、３上で分岐長さ調節具７の位置を調節すると、各分岐紐２、３は位置調節した分岐長さ調節具７の位置までしか引き離されないので、実際に使用される分岐長さＬａ、Ｌｂを自由に設定することができ、周囲に人が多く犬の行動範囲を大きく制限したいときや、犬を大きな範囲でのびのびと動き回らせながら引き連れたいとき等、状況の変化に応じて使い分けられる。
【００３９】
なお、分岐紐２、３は組紐よりなり表面に粗い凹凸があるので、この凹凸が前記エッジ１１ｄとの引っ掛かりを強めるので、前記分岐長さ調節具７による分岐長さ調節機能がさらに向上する。このことは後に述べる第２、第３の各実施例にも同様に適用できる。
【００４０】
さらに、分岐紐２、３は図２の（ｂ）に示すように横断面が丸型であって、分岐長さ調節具７の筒体１１がなす通路６の互いに密接している各分岐紐２、３との接触範囲が、各分岐紐２、３の横断面における円周のほぼ３／４程度と大きいことによって、各分岐紐２、３に対するまわりからの捕捉力が十分で、前記分岐紐２、３の先端２ａ、３ａ側が真横に引き離されるまでの動きに影響されずに各分岐紐２、３の通路６内部分を遊びなく直状状態に保持し、各分岐紐２、３の前記真横に引き離される先端２ａ、３ａ側の部分と通路６内に保持される部分との直角な折れ曲がり部にきちっとした角が形成されて、引き離される各分岐紐２、３と分岐長さ調節具７の前記エッジ１１ｄとの引っ掛かりによる滑り防止をさらに確実にするので、分岐長さ調節具７による各分岐紐２、３の長さ調節機能がさらに安定する。
【００４１】
図４〜図６は本発明の第２の実施例を示し、分岐長さ調節具７は、平面形状がほぼ菱形をした偏平なケース体３１が図５に示すような通路６を形成し、この通路６の途中に、これに通されている各分岐紐２、３の間にこれらとギヤ型部３２ａで接触する状態に位置するとともに、通路６の長手方向に移動できるように長孔３３にスライド軸３２ｂを嵌め合わせて支持されたロック部材３２を設けてある。通路６はロック部材３２の各分岐紐２、３の長手方向で見た図５に仮想線で示す最分岐点側位置から実線で示す最先端側位置に向かって、各分岐紐２、３が隣接し合う方向の幅を、Ｂ１からＢ２まで漸次狭まくなるようにしてあり、引き紐全体としては図６に示すように第１の実施例の場合のように二頭引きの状態で犬４を引き連れることができる。
【００４２】
ロック部材３２のスライド軸３２ｂには外部に位置する操作つまみ３２ｃが設けられ、この操作つまみ３２ｃによってロック部材３２を、このロック部材３２の各分岐紐２、３の最分岐点側位置と最先端側位置との間で通路の長手方向に移動させることができ、各分岐紐２、３が隣接し合う方向の通路幅が前記ロック部材の最分岐点側位置から最先端側位置に向かって、Ｂ１からＢ２に漸次狭まくなっていることにより、ロック部材３２を図５の仮想線で示す最分岐点側位置に移動させたときは、通路６に通されている各分岐紐２、３との接触状態を通路幅の大きさで浅く弱くして各分岐紐２、３上を分岐長さ調節具７のケース体３１がロック部材３２を伴って自由にスライドして位置を調節することができ、ロック部材３２を図２の実線で示す最先端側位置に移動させたときは、通路幅が小さいことによってロック部材３２が両側の各分岐紐２、３を通路の内面との間に強く挟み着けて各分岐紐２、３を通路６内で滑らないようにロックし、分岐長さ調節具７を前記位置調節するどの位置にても各分岐紐２、３に確実に係止して、各分岐紐２、３の先端２ａ、３ａ側が分岐長さ調節具７の図４、図６に示すような調節位置を越えて引き離されるのは勿論、分岐長さ調節具７が各分岐紐２、３上でロック部材３２の操作なしに不用意にスライドして調節位置が変化してしまうようなことを回避することができる。
【００４３】
図７、図８は本発明の第３の実施例を示し、分岐長さ調節具７は、図７の（ａ）〜（ｄ）に示すように筒体４１と、この筒体４１よりも各分岐紐２、３の先端２ａ、３ａ側に位置して各分岐紐２、３が互いにクロスするように通されたリング４２との組み合わせ構成としてあり、図８に示すような第１の実施例同様の二頭引き状態で犬４を引き連れることができる。
【００４４】
筒体４１は引き揃え状態の各分岐紐２、３上で自由にスライドさせて位置調節することができ、各分岐紐２、３の分岐長さ調節具７よりも先端２ａ、３ａ側に引き離し力Ｆ１、Ｆ２が働くと、リング４２に通されている各分岐紐２、３がクロスしていることによりこれがリング４２を筒体４１の側に図７の（ｄ）に示すように結び付ける状態となって筒体４１の端部側に締付けて押し付けながら、各分岐紐３、４がリング４２を挟み込んで筒体４１がなす通路６よりも大きな瘤４３を形成して筒体４１のエッジ４１Ａに引っ掛かるようになる。
【００４５】
これによって、各分岐紐２、３が筒体４１およびリング４２がなす分岐長さ調節具７の調節位置を越えて分岐点１ｃ側にまで引き離されるようなことを防止することができ、分岐長さ調節具７が筒体４１とリング４２の２部材でありながら単純な構成でよい利点がある。
【００４６】
なお、本実施例の紐体１および各分岐紐２、３はベルト状のものとして好適であったが、これに限られることなく、丸形の断面のもの等他の形状のものとすることができる。
【００４７】
【発明の効果】
請求項１の発明の動物の引き紐によれば、紐体の先端側に設けた各分岐紐を個別の動物に接続して二頭引き状態で引き連れるのに、二頭の動物の行動範囲の大まかな方向を一本の紐体の先端側に規制するとともに、各動物が前記分岐点を基点にした前後左右の異なった方向に異なった力で動いても、紐体は人に把持された手元部を基点にして少し振れる程度で、手元部を大きく揺さぶられるようなことはなく、人は二頭の動物をこれらに振り回されないで各動物の動きを思い通りに規制しながら引き連れることができる。
【００４８】
特に、分岐長さ調節具は、これの通路に通された引き揃え状態の分岐紐に沿ってスライドして分岐点からどのように離れた部分にも位置し、また、そのどの位置にても各分岐紐の先端側からの引き離しを阻止することによって、各分岐紐の先端に接続した動物のそれぞれが相対的に左右異なった方向に移動して各分岐紐が分岐長さ調節具の調節位置を分岐点側に越えてさらに引き離そうとする力が働いても、これを分岐長さ調節具にて受け止めてそれ以上の引き離しを防止することができ、したがって、各分岐紐それ自体は一定の長さを有しているだけであっても、引き揃え状態にある各分岐紐上の分岐長さ調節具の位置を調節することによって分岐紐が分岐状態にて使用される実際の使用長さを種々に設定し、一本の引き紐にて、二頭引きする動物の大きさ、まわりの状況や希望する引き連れ状態の違いに対応することができ便利であるし、動物の大きさに合わせた引き紐を製作するような場合に比してコストは数分の１に低減する。
【００４９】
請求項２の発明の動物の引き紐によれば、請求項１の発明においてさらに、分岐長さ調節具が筒体よりなる簡単なものであるが、これの傾斜を持った端面が、分岐紐の密接し合う中央位置から両側に向け後端側にやや逃げる状態となった湾曲形状のエッジを形成して、各分岐紐の分岐長さ調節具よりも先端側が引き離されようとするときの引き離し力が分岐長さ調節具に働くのを、各分岐紐が互いにほぼ真横に引き離されて直角に折れ曲がる状態になるまで逃がし、引き離し力が各分岐紐がほぼ真横に引き離され直角に折れ曲がった状態から分岐長さ調節具の通路に通されている各分岐紐にほぼ直角に働いて、分岐長さ調節具を各分岐紐上で後方に押し動かすような分力を生じさせないし、前記エッジが各分岐紐の直角に折れ曲がったコーナー部に引っ掛かって分岐紐との滑りを阻止するので、分岐紐の分岐長さ調節具の調節位置を越えてこれよりも分岐側が引き離されるのを確固に防止することができる。
【００５０】
請求項３の発明の動物の引き紐によれば、請求項２の発明においてさらに、分岐紐は横断面が丸型で、分岐長さ調節具の筒体がなす通路の互いに密接している各分岐紐との接触範囲が、各分岐紐の横断面における円周のほぼ３／４程度と大きく、各分岐紐に対するまわりからの捕捉力が十分で、前記分岐紐の先端側が真横に引き離されるまでの動きに影響されずに各分岐紐の通路内部分を遊びなく直状状態に保持し、各分岐紐の前記真横に引き離される先端部分と通路内に保持される部分との直角な折れ曲がり部にきちっとした角が形成されて、引き離される各分岐紐と分岐長さ調節具の前記エッジとの引っ掛かりによる滑り防止をさらに確実にするので、分岐長さ調節具による各分岐紐の長さ調節機能がさらに安定する。
【００５１】
請求項４の発明の動物の引き紐によれば、請求項１の発明においてさらに、ロック部材を最分岐点側位置に移動させたときは、通路に通されている各分岐紐との接触状態を通路幅の大きさで浅く弱くして各分岐紐上を分岐長さ調節具がロック部材を伴って自由にスライドして位置を調節することができ、ロック部材を最先端側位置に移動させたときは、通路幅が小さいことによってロック部材が両側の各分岐紐を通路の内面との間に強く挟み着けて各分岐紐を通路内で滑らないようにロックし、分岐長さ調節具を前記位置調節するどの位置にても各分岐紐に確実に係止して、各分岐紐の先端側が分岐長さ調節具を越えて引き離されるのは勿論、分岐長さ調節具が各分岐紐上でロック部材の操作なしに不用意にスライドして調節位置が変化してしまうようなことを回避することができる。
【００５２】
請求項５の発明の動物の引き紐によれば、請求項１の発明においてさらに、各分岐紐の分岐長さ調節具よりも先端側に引き離し力が働くと、リングに通されている各分岐紐がクロスしていることによりこれがリングを筒体の側に結び付ける状態となって筒体の端部側に締付けて押し付けながら、各分岐紐がリングを挟み込んで筒体がなす通路よりも大きな瘤を形成して筒体のエッジに引っ掛かるようにするので、各分岐紐が筒体およびリングがなす分岐長さ調節具の調節位置を越えて分岐点側にまで引き離されるようなことを防止することができ、分岐長さ調節具が筒体とリングの２部材でありながら単純な構成でよい利点がある。
【００５３】
請求項６の発明の動物の引き紐によれば、請求項１〜５の発明のいずれか１つにおいてさらに、各分岐紐が組紐であることにより表面が凹凸をなし、これが分岐長さ調節具を越えて分岐点側に引き離されようとするときの分岐長さ調節具との引っ掛かりをよくして、分岐長さ調節機能のさらなる安定を図ることができる。
【図面の簡単な説明】
【図１】本発明の第１の実施例を示す引き紐の各部分の斜視図である。
【図２】図１の引き紐の分岐長さ調節具の縦横各断面図および斜視図である。
【図３】図１の引き紐による二頭引き状態を示す斜視図である。
【図４】本発明の第２の実施例を示す引き紐の各部分の斜視図である。
【図５】図４の引き紐の分岐長さ調節具の縦断面図である。
【図６】図４の引き紐による二頭引き状態を示す斜視図である。
【図７】本発明の第３の実施例を示す引き紐の各部分の斜視図および断面図である。
【図８】図７の引き紐による二頭引き状態を示す斜視図である。
【図９】従来の引き紐を二頭引き状態で示す斜視図である。
【符号の説明】
１  紐体
２、３  分岐紐
４  犬
６  通路
７  分岐長さ調節具
１１  筒体
３２  ロック部材
４１  筒体
４２  リング
【図１】
0003618148.tif 000002
【図２】
0003618148.tif 000003
【図３】
0003618148.tif 000004
【図４】
0003618148.tif 000005
【図５】
0003618148.tif 000006
【図６】
0003618148.tif 000007
【図７】
0003618148.tif 000008
【図８】
0003618148.tif 000009
【図９】
0003618148.tif 000010